(57)【要約】【課題】建築現場や土木作業の現場等における２点間の傾斜角度などを正確で簡便に、かつ短時間で行える測定器具を提供する。【解決手段】本体１に角度の絶対基準線として測定基準線３を設けた上で、該測定基準線３の位置角度を表示する為、角度表示計を取付け、前記の位置角度を任意の測定点まで延長せしめるために水糸４を指示糸として該測定基準線３の一端を基点として動作させる。【選択図】図１
2007163394.tif 000002
【特許請求の範囲】
【請求項１】
本体（１）に設けられた測定基準線（３）と該測定基準線（３）の位置角度を表示するために該本体（１）に取付けられた角度表示計と該測定基準線（３）の位置角度を任意の測定点へ延長せしめるための水糸（４）とからなる事を特徴とする水糸式２点間の角度測定器。
【請求項２】
前記測定基準線(３)が設けられた面と平行な面に角度表示計を取付けた請求項１記載の水糸式２点間の角度測定器。
【請求項３】
前記角度表示計がダイアル式表示計(５)、または円弧状気泡管式表示計(２１)、または調整式ダイアル表示計(２３)、またはデジタル式表示計(２６)のいずれかである請求項１記載の水糸式２点間の角度測定器。
【発明の詳細な説明】
【技術分野】
【０００１】
本発明は任意の２点間における傾斜角度等を正確で簡便に、かつ短時間で測定するための角度測定器に関するものである。
【背景技術】
【０００２】
土木工事現場や建築工事現場等において離れた２点間の傾斜角度などを求める場合は単一点の角度のみを求められる角度測定器を用いて２点間の何箇所かを測定したりする。またトランシットなどと呼ばれる光学器械による測定方法も用いられる事がある。
【０００３】
一方、離れた２点間の角度を測定または設定出来るとした先行技術の実例としては、特許文献１では、分度器を表示部とし、水糸により分度器を動かし測定または設定する。また特許文献２では巻尺と角度計とを組合わせて測定する方法、また特許文献３は丁張り材を使用した技術で有る。また特許文献４、特許文献５は本出願人が先に出願したものであって本発明の原型と言える物である。
【０００４】
然しながら単一点の角度のみを求められる角度測定器では測定地点毎に傾斜角度が違って来る場合が多く、またトランシットなどの光学器械は設置と測定に手間と時間が掛かる。
【０００５】
一方、特許文献１のものは測定出来る角度の範囲が狭いようである。特許文献２では巻尺が測定面の状態に影響を受ける。特許文献３は設置に時間と手間が掛かる。
【０００６】
また特許文献４のものは、分度器と気泡式水準器と水糸とを組み合わせて角度を測定するものであるが、分度器目盛を水糸が指示する事によって角度を求める仕組みの為、分度器の半径の大きさによって水糸が指示出来る寸法が限られてしまう事で測定精度が影響を受けるという問題が有った。そして測定精度を上げる為に分度器の径を大きくすると、測定器自体が大きくなって測定者が取扱いし辛くなってしまうという面も出て来る。
特許文献５のものは、発明自体が水平度と垂直度の測定に特化したものなので、これら以外の角度は測定出来ない。但し、測定表示線に充分な長さが有る事により前記測定表示線と指示糸である水糸とが合致したときの視認性は良いという特徴がある。
【特許文献１】実開昭５７−１３９１５号公報
【特許文献２】実開平４−６９７０２号公報
【特許文献３】実開昭５６−１６８１１号公報
【特許文献４】特開２００３−２８６３７号公報
【特許文献５】特開２００４−１７０４０２号公報
【発明の開示】
【発明が解決しようとする課題】
【０００７】
離れた２点間の傾斜角度等を正確で簡便に、かつ短時間で測定出来る角度測定器を提供する。
【課題を解決するための手段】
【０００８】
本発明では本体１の測定部２に測定基準線３を設けた上で該測定基準線３の位置角度に
同期して角度を表示するために０度から９０度までの角度を表示する角度表示計を取付け
てある。
そして前記測定基準線３の一端である水糸引出し口９を基点として水糸４を動作させる。前記水糸４は該測定基準線３の位置角度を任意の測定点まで延長するものである。
【０００９】
これにより、測定者は水糸４を使用して本器と任意の測定点とを結び、把持部８を握って前記水糸４を引っ張る事により、該水糸４を充分に張り、測定基準線３に合致させて、その時の前記角度表示計に示されている角度を読み取る事により離れた２点間の傾斜角度を測定出来る。
【００１０】
前記の角度表示計はダイアル式表示計５、または円弧状気泡管式表示計２１、または調整式ダイアル表示計２３、またはデジタル式表示計２６の何れかである事を特徴としている。
【発明の効果】
【００１１】
本発明では水糸４は測定面から浮かせて使用するので前記測定面から受ける影響は少ない。そして測定できる角度も０度から９０度までと幅広く、また水糸４と測定基準線３とが合致した状態での視認性が向上した事で測定精度も良くなった。これらの事から簡便に取り扱える角度測定器でありながら正確な角度の測定をする事が出来、作業時間も節約出来る。
【発明を実施するための最良の形態】
【００１２】
本発明は本体１に測定基準線３を設け、この位置角度を角度表示計に表示し、そして水糸４により任意の測定点まで延長するという測定方法を用いるので前記測定基準線３の長さを充分に取る事、前記角度表示計の視認性に考慮する事が必要である。また前記水糸４に張力を与える為の指通し穴７を含む把持部８の形状にも工夫したい。また使い易さの為に水糸止め１２を設けて水糸４を引っ張る際に外れないように強固に固定出来るようにした。
【実施例１】
【００１３】
以下、本発明の水糸式２点間の角度測定器を図面に基づき説明する。図１は本発明の実施例１の斜視図である。ＬないしＰの字に近い形の本体１は測定部２がダイアル式表示計５が取付けられた部分から、水糸引出し口９を起点とする測定基準線３を設けた幅の狭い方形な部分までで構成されている。該水糸引出し口９は水糸４の動作基点となる。また該測定部２に隣接して、握ったときに指を通す為の指通し穴７を含む把持部８が設けてある。
【００１４】
底面部１０は測定基準線３と平行であり、法面等の傾斜角度を測定する場合は、この底面部１０を法面に当てて行う。また上述のダイアル式表示計５は分度目盛が０度を頂点として左右に９０度ずつ振り分けられている。このダイアル式表示計５の指針６は重力によって回転動作し、前述の測定基準線３が水平位置にある場合、指針６は０度を示し、垂直位置であれば９０度を示す。つまり該測定基準線３の位置角度の変化に応じて指針６の指示する角度も０度から９０度の範囲内で分度目盛上において変化して行く。
【００１５】
図２は本体１の側面図である。水糸４は先端を該本体１裏側に取付けられた水糸止め１２内の水糸止め穴１３の一方の口から差し入れられ、前記水糸止め穴１３内を通った後、水糸通り穴１１内を通り、水糸引出し口９から引き出され、任意の測定点との間に張られた後、指示糸として測定基準線３を指示する。
【００１６】
図３は図２の要部拡大図である。該水糸止め１２は雌ねじ５１と、水糸止め穴１３が穿孔された雄ねじ５２とで構成され、水糸４は該水糸止め穴１３の一方の端から挿入する。そして該雌ねじ５１を該雄ねじ５２に装着した後、ねじ込んで水糸４を圧着し、固定する。
【００１７】
図４は本発明の水糸式２点間の角度測定器を用いて法面３１の傾斜角度を測定する使用例の図面である。前記水糸引出し口９から引き出された水糸４は棒杭３２に底面部１０と測定基準線３との鉛直方向への寸法差４１の分だけ法面３１から持ち上げられ、結び付けられて任意の測定点３３となっており、測定者は把持部８を握って本器の底面部１０を法面３１に当てながら本器を引き気味に扱う事により、該水糸４を充分に張る。そして該水糸４を測定基準線３に合致させて、そのときのダイアル式表示計５の指針６が示した角度を読み取れば測定は完了し、その表示角度が傾斜角度となる。
【００１８】
実施例１において本器を用いた法面３１の傾斜角度の測定方法の一例を示した。然しながら測定のつど、底面部１０と測定基準線３との鉛直方向への寸法差４１に留意して測定を行うよりも、本器を２台使用して水糸４を共用した測定方法で行う方が前記の底面部１０と測定基準線３との鉛直方向への寸法差４１に留意する必要が無くなり、合理的である。
【００１９】
図５においては実施例１の角度測定器の把持部８、測定部２等の主要構造を左右逆とした水糸式２点間の角度測定器Ｂを開示した。以降、この型のものを水糸式２点間の角度測定器Ｂと言う。そして図１の物を水糸式２点間の角度測定器Ａとする。
【００２０】
図６は水糸式２点間の角度測定器Ａと角度測定器Ｂとで法面３１の傾斜角度測定を行っている状態図である。このとき、互いの水糸引出し口９から引き出された水糸４は共用された形となっており、各々の角度測定器の把持部８をそれぞれの測定者が持ち、底面部１０を法面３１に当てながら、共用された水糸４に張力を与える為、それぞれが該水糸４を引き合い、充分に張る。そしてそれぞれの角度測定器の測定基準線３に前記の水糸４が合致した事を示し、かつ互いのダイアル式表示計５の指針６が分度目盛上において同一角度を示している事を確認すれば測定は完了し、その表示角度が法面の傾斜角度となる。
【実施例２】
【００２１】
図７は角度表示計として実施例１のダイアル式表示計５に換えて円弧状気泡管式表示計２１を用いたものである。前記円弧状気泡管式表示計２１内には気泡２２が分度目盛を指示する為に入っており、測定基準線３の位置角度の変化に応じて気泡２２が移動して分度目盛を指示するので測定角度はその値を読み取る事によって得られる。
【００２２】
図８は円弧状気泡管式表示計２１を用いた水糸式２点間の角度測定器Ａと角度測定器Ｂとを使用して法面３１の傾斜角度測定を行っている事を示した図面である。このとき、互いの角度測定器の水糸引出し口９から引き出された水糸４は該角度測定器同士で共用された形となっている。そして各々の該角度測定器の把持部８をそれぞれに測定者が持ち、底面部１０を法面３１に当てながら、共用された水糸４に張力を与える為、それぞれが該水糸４を引き合い、充分に張る。その上で２台の該角度測定器の本体１に設けられた測定基準線３に該水糸４が合致した事を示し、かつ互いの円弧状気泡管式表示計２１の気泡２２が分度目盛上において同一角度を示している事を確認すれば測定は完了し、その表示角度が法面の傾斜角となる。
【実施例３】
【００２３】
図９は角度表示計として実施例１のダイアル式表示計５に換えて調整式ダイアル表示計２３を用いたものである。測定する場合は測定したい角度を予め角度調整つまみ２５によって該調整式ダイアル表示計２３内に設けられた分度目盛に設定しておき、測定時に水平器２４内の気泡が水平を示せば設定した角度となる。２台の水糸式２点間の角度測定器Ａと角度測定器Ｂとを使用して法面３１の傾斜角度測定を行う場合は、前述の実施例と同様である。
【実施例４】
【００２４】
図１０は角度表示計として実施例１のダイアル式表示計５に換えて重力式センサーを内蔵したデジタル式表示計２６を用いたものである。測定基準線３の位置角度が変化すれば該デジタル式表示計２６に表示される角度も変化するのでその角度を測定値として読み取る。２台の水糸式２点間の角度測定器Ａと角度測定器Ｂとを使用して法面３１の傾斜角度測定を行う場合は、前述の実施例と同様である。
【図面の簡単な説明】
【００２５】
【図１】本発明のダイアル式表示計を取付けた水糸式２点間の角度測定器の斜視図である。
【図２】図１の側面図である。
【図３】図２の要部拡大図である。
【図４】ダイアル式表示計を取付けた水糸式２点間の角度測定器を使用した法面３１での傾斜角度測定の図面である。
【図５】ダイアル式表示計を取付けた水糸式２点間の角度測定器Ｂの正面図である。
【図６】ダイアル式角度表示計を取付けた水糸式２点間の角度測定器ＡとＢとを使用した法面３１での傾斜角度測定の図面である。
【図７】円弧状気泡管式表示計を取付けた水糸式２点間の角度測定器Ａの正面図である。
【図８】円弧状気泡管式表示計を取付けた水糸式２点間の角度測定器ＡとＢとを使用した法面３１での傾斜角度測定の図面である。
【図９】調整式ダイアル表示計を取付けた水糸式２点間の角度測定器Ａの正面図である。
【図１０】デジタル式表示計を取付けた水糸式２点間の角度測定器Ａの正面図である。
【符号の説明】
【００２６】
１  本体
２  測定部
３  測定基準線
４  水糸
５  ダイアル式表示計
６  指針
７  指通し穴
８  把持部
９  水糸引出し口
１０  底面部
１１  水糸通り穴
１２  水糸止め
１３  水糸止め穴  
２１  円弧状気泡管式表示計
２２  気泡
２３  調整式ダイアル表示計
２４  水平器
２５  角度調整つまみ
２６  デジタル式表示計
３１  法面
３２  棒杭
３３  任意の測定点
４１  底面部１０と測定基準線３との鉛直方向への寸法差
５１  雌ねじ
５２  雄ねじ
【図１】
2007163394.tif 000003
【図２】
2007163394.tif 000004
【図３】
2007163394.tif 000005
【図４】
2007163394.tif 000006
【図５】
2007163394.tif 000007
【図６】
2007163394.tif 000008
【図７】
2007163394.tif 000009
【図８】
2007163394.tif 000010
【図９】
2007163394.tif 000011
【図１０】
2007163394.tif 000012